(57)【要約】【課題】キャスター付き家具などの移動時の高さを設置時の高さよりも低くすることで、キャスターによる移動を必ず可能となるようにするとともに、設置時では家具の全荷重がキャスターにかかることがなく、広い面積に分散させ床面を傷めることがないようにすることを課題とする。【解決手段】  底面１に移動用のキャスター２…が設けられた家具であって、該家具の底面１にキャスター２の支持高さＨを越えて下方へ突き出される支持体１５を出没自在に設けてなる。【選択図】  図１
2005046334.tif 000002
【特許請求の範囲】
【請求項１】
底面に移動用のキャスターが設けられた家具であって、該家具の底面に前記キャスターの支持高さを越えて下方へ突き出される枠体を出没自在に設けたことを特徴とする移動装置付き家具。
【請求項２】
複数のキャスターが設けられた方形形状をなす底面の、該底面を二分する中心線を挟んだ両側に、平行運動により互いの距離が中心線を挟んで遠近変化するように複数の棒体がそれぞれ前記底面に対し等長の第１の回動アームを介して連接され、
前記中心線上には、前記底面に垂直なねじロッドが該ねじロッドの軸芯回りに回転可能に支持され、該ねじロッドにねじ嵌合されたねじ駒が前記棒体の中心線側端と等長リンクで連接され、前記ねじ駒がねじロッドに沿って前記底面側へ移動したときは中心線両側の複数の棒体が互いに引き寄せられ、ねじ駒が前記底面側より離れるほど前記複数の棒体が互いに遠ざけられるようにされ、
中心線を挟んで対をなす前記棒体には、これら対をなす棒体にまたがって一つの枠体が、前記第１の回動アームと逆位相で回動する第２の回動アームを介して平行リンクとなるよう連接され、前記ねじロッドの回転操作により移動するねじ駒により第１の回動アームを介して底面から前記二つの棒体が平行に離れ、これにつれて前記二つの棒体にまたがって架設された枠体が、前記第２の回動アームの回動により前記棒体から平行に離れ、もって前記キャスターの支持高さを越えて前記枠体が底面下方へ突き出されるように構成された請求項１に記載の移動装置付き家具。
【請求項３】
請求項２の移動装置付き家具における複数の棒体に、第１の回動アームと逆位相で回動する第２の回動アームを介して副棒体がそれぞれ前記複数の棒体に平行リンクを構成して連接され、前記二つの副棒体にまたがって一つの枠体が架設固定されてなる請求項２に記載の移動装置付き家具。
【発明の詳細な説明】
【技術分野】
【０００１】
本発明は、間仕切り用家具、クローゼットなどの家具で、床面に沿って移動させるキャスターなどの移動装置付き家具に関する。
【背景技術】
【０００２】
従来この種家具として、底面にキャスターを設けたものがごく一般的に知られている。
ところが、従来の家具は定位設置後も上記キャスターで全荷重を支えるようにされているので、それだけ強度に優れた大型あるいは高価なものを使用しなければならず、いきおい家具が高価となるといった問題がある。また、床面には車輪による点荷重が加わるので応力集中による局部的なへこみが床面にでき、家具を移動したあとの床面が見苦しくなるといった問題もあった。
【０００３】
このような問題を解消するものとして、移動する際はキャスターが底面から出ているが、床面に定位設置するときはキャスターを本体内に引き込むようにした家具が提案されている（特許文献１）。
【０００４】
しかし、この場合、移動時はキャスターを家具底面から突き出すので移動に際して突き出し量だけ家具が背高になり、家具直上の天井部分に余裕空間がないときは、キャスターを突き出すことが不可能となり、運び出すのに非常に手間がかかることになるといった問題がある。
【０００５】
さらに、キャスターが付けられていない本来の家具の高さであれば収納できる高さの空間でも、キャスターを出した状態では移動による収納が出来ない場合もあるといった問題もある。  
【特許文献１】特開平１０−３０４９４５号公報
【発明の開示】
【発明が解決しようとする課題】
【０００６】
この発明は、上記問題を解消し、移動時の高さを設置時の高さよりも低くすることで、キャスターによる移動を必ず可能となるようにするとともに、設置時では家具の全荷重がキャスターにかかることがなく、広い面積に分散させ床面を傷めることがないようにすることを課題としてなされたものである。
【課題を解決するための手段】
【０００７】
この発明は上記課題を解決するために、底面に移動用のキャスターが設けられた家具であって、該家具の底面に前記キャスターの支持高さを越えて下方へ突き出される枠体を出没自在に設けたことを特徴とするものである。
【発明の効果】
【０００８】
この構成によれば、家具をキャスターを用いて移動し、所定の場所に設置する場合、底面より枠体を床面へ突き出し、家具底面をキャスターによる支持高さより高い位置に持ち上げ、キャスターの支持を開放してしまうので、キャスターによる点荷重が床面に加わることがなく床面が応力集中により変形したり傷んだりすることがない。また支持体の床面に対する接触面を広くしておけば応力分散も図れ、床面を傷めることもない。
【０００９】
また、家具を再移動させる場合は、支持体を家具底面内へ引き込み、高さを低くすることでキャスターを床面に設置させるので、家具が天井に支えて再移動時キャスターが使えなくなることがなく、移動の手間が非常に軽減されるなどの効果がある。
【発明を実施するための最良の形態】
【００１０】
以下、本発明の実施の形態における移動装置を図面に基づいて具体的に説明す
る。
図１は本発明の一実施の形態における移動装置付き家具の移動装置部分のみを示す分解斜視図、図２は図１に示す移動装置付き家具の底部構造を示す断面図、図３は底面を突き出した状態を示す移動装置付き家具の底部構造を示す断面図、図４は移動装置付き家具の底面図である。
【００１１】
図において１は、家具１ａなどの底面をなす底板を示す。この底板１の裏面側に家具１ａを移動させる場合に使用されるキャスター２…２（図２、図３に明示）が複数個取り付けられている。なお、このキャスター２…２は、取付ブロック３…３を介して底板１から一定高さＨとなるように固定されている。
【００１２】
この底面を構成する底板１を二分する中心線４（図４）を挟んだ両側に、中心線４を挟んだ互いの距離が平行運動により遠近変化するよう、図示のように棒体５、５が等長の第１の回動アーム６…６を介して底板１と平行に連接されている。
【００１３】
なお、それぞれの回動アーム６、６は中心線４と平行な軸６ａ周囲に回動自在とされている。そして並列する二つの棒体５、５は、中心側端が連接型材５ａ、５ａで連接され、それぞれが一体となって平行運動するように構成されている。
【００１４】
そして、中心線上には底板１と垂直にねじロッド７が、ねじロッド７の軸芯周囲に回転自在に支持されている。なお、このねじロッド７の上端７ａは、底板１に形成した貫通孔１ｈに挿入され、底板１の上面１ｂからハンドル７ｂを係合して軸周囲に回転操作できるようにされている。
【００１５】
ねじロッド７の軸受け８は、薄鋼板、ステンレス板をコ字状に折曲成形され（図１）、コ字状の開放端８ａに折り返し形成した耳部８ｂ、８ｂで底板１にビス（図示せず）などで止着される。
【００１６】
そして、ねじロッド７は図５、図６に拡大して示すように、軸受け８のコ字状底面部分８ｄに形成した貫通孔８ｅに貫通され、底面部分８ｄを挟んで両面にナット８ｆ、８ｆを溶接などにより固定するなどして、底面部分８ｄを挟んで軸方向に支持された状態で軸周囲に回転可能に支持されている。
【００１７】
なお、ねじロッド７の支持構造は、軸方向に支持された状態でねじロッド７の軸心周囲に回転可能に支持されていれば他の構造でも良く、例えば図示は省略するが内側のナット８ｆに代え同位置に一体に設けたフランジとすること、あるいはナット８ｆ、８ｆで支持する構造に代え、貫通孔８ｅにねじロッド７用のスラスト軸受などを設けた構造としても良いことはいうまでもない。
【００１８】
このねじロッド７には、図５、図６に断面を拡大して示すようにねじ駒９がねじ嵌合され、ねじロッド７をハンドル７ｂにより軸周囲に正逆回転させることにより軸方向へ正逆移動するようにされている。
【００１９】
このねじ駒９とそれぞれの連接型材５ａ、５ａとの間には等長リンク１０、１０が連接され、図２または図５に示すようにねじ駒９が底板１に最も近づいた時、二つの棒体５、５が連接型材５ａ、５ａを介して等長リンク１０、１０により互いに引き寄せられ、逆にねじ駒９が底板１から離れると図３又は図６に示すように、棒体５、５が連接型材５ａ、５ａを介して等長リンク１０、１０に突き出され互いに離れるようにされている。
【００２０】
図２、図３に示すように、二つの棒体５、５には、二つの副棒体１１、１１が第１の回動アーム６、６と逆位相で回動する第２の回動アーム１２、１２を介して平行リンクを構成するように連接されている。
【００２１】
ここに「逆位相で回動する」とは、第１の回動アーム６が図２又は図５に示すように矢印Ａ方向へ回動したとき、後述する枠体１５による制限のもとで従動運動する第２の回動アーム１２が矢印Ｂで示すように逆方向に回動することを言う。
【００２２】
そして、二つの副棒体１１、１１には、幅方向に並列するもの同士を一体にまとめる底面板１３、１３がビス（図示せず）で固定され、さらにこの底面板１３、１３の側面には、両底面板１３、１３が中心線４を挟んでそれぞれ等距離に位置するように固定する一つの枠体１５、１５が架設固定されている。
【００２３】
以上より明らかなように、家具の底面１を基礎リンクとして、第１の回動アーム６、棒体５、第２の回動アーム１２、枠体１５とで自由度１の平行リンクが構成されている。
したがって、ねじ駒９により等長リンク１０、１０を介して中心線側連接型材５ａに中心線から互いに遠ざかる方向へ移動力を加えると、棒体５は第１の回動アーム６、６の矢印Ａ方向への回動により、水平姿勢のまま平行移動し、一方、枠体１５で互いに固定された副棒体１１、１１は、第２の回動アーム１２の矢印Ｂ方向の逆方向の回動により底面から離れる方向へと平行運動しながら次第にせり出していく。そして、どちらのアーム６、１２も底面に対して直立した姿勢の時に枠体１５が最もせり出した状態となる。
このときの底面からの最大高さＬ（図３）が、キャスター２の底面１からの高さＨより大きくなるようにされ、枠体１５、１５がキャスター２の支持高さを越えて下方へ突き出されるようにされている。
【００２４】
一方、当初の姿勢即ち図２に示したねじ駒９が最も底面に近い位置のときの底面からの最小高さＳがキャスター２の底面１からの高さＨより小さくなるようにされている。
枠体１５、１５は、図１に示すように底面１の長さ方向に沿い、幅方向の支持体１６、１６とにより底面１を囲む家具の下面支持部１ｂの内側に嵌まり合う方形枠状に形成され、長さ方向に沿う枠体１５、１５の両端にはほぞ状の突起１５ａ、１５ａが突設され、この突起１５ａ、１５ａが図７に示すように家具の下面支持部１ａに形成したスリット１ｃ、１ｃに嵌合するようにされ、枠体１５の出没運動がガイドされるようにされている。
【００２５】
次に、移動装置付き家具の作動について説明する。
家具を移動させる場合は、家具の底面１の上面からねじロッド７にハンドル７ｂを係合させ、ねじロッド７を軸周囲に回転させることによって図２に示すようにねじ駒９を底面裏面に近づくようにし、枠体１５の底面からの距離ＳがＨより小さくなるようにする。
【００２６】
すると、図８に示すようにキャスター２の接地高さＨが周囲の枠１５より相対的に高くなり、キャスター２が接地する状態となりキャスター２による家具の移動が可能となる。
そして目的の位置に移動し、位置決めすれば、ハンドル７ｂをねじロッド７に係合し、ねじ駒９が底面１から遠ざかる方向へ移動するように回転する。
【００２７】
ねじ駒９の移動と共に棒体５、５は、次第に中心線４から離れる方向へ移動し、また、両者間の間隔が枠体１５で一定に制限されている副棒体１１、１１は第２の回動アーム６，６の回動により次第に立ち上がり、枠体１５は家具１ａの底面１下方へとせり出していく。
【００２８】
そして、せり出し量がＨより大きくなるまでねじロッド７を回転させ、図９に示すようにキャスターの支持高さＨを越えて家具の底面から枠体１５を下方へ突き出させ、枠体１５、１５および底面板１３、１３で家具重量を支えるようにする。
【００２９】
したがって、キャスター２には全く荷重はかからず、床面にもキャスター２の応力集中がない。
再び移動する場合は、ハンドル７ｂを操作してねじ駒９を底面１に近づく方向へ移動させ、キャスター２が家具１ａ底面から相対的に露出されるまで枠体１５を引き込む。
【００３０】
したがって、家具の上面に設置時に全く隙間が無くても、枠体１５の引き込みによる下降作業により天井との間に隙間ができ、楽に家具の移動が可能になるのである。
上記実施の形態として、底面部の枠体１５を副棒体１１に架設して設けた場合を示したが、副棒体１１，１１を設けることなく、図１０に示すように棒体５、５に、第２の回動アーム１２、１２を介して底面部の枠体１５を直接連接しても良い。
【００３１】
この場合も同様にねじロッド７の操作により枠体１５が底面から出没自在となる。
以上述べたように本発明の移動装置付き家具は、キャスターによる移動が可能であっても、床面に定位設置するときは枠体を家具底面からせり出せ家具を背高に変化させ、再移動時は枠体を没入させて収納し、相対的にキャスターを頭出させるので、家具の天井部分に余裕空間が無くなってキャスターを使用できなくなる事は一切無く、移動が容易に行える。
【００３２】
また、定位設置時は、棒体で家具を支えるので床面にはキャスターによる応力集中がなく、床面を変形させたり傷めたりすることもないなどの効果も有する。
そして、この発明における棒体の昇降を行うリンクはすべて平行リンクであるので、例えばスライダーなどを利用した摺動リンクに較べ構造が簡単な上、動きも確実であり、摺動部の潤滑といったメンテナンスも不要である等の効果を有する。
【図面の簡単な説明】
【００３３】
【図１】本発明の一実施の形態における移動装置付き家具の移動装置部分のみを示す分解斜視図である。
【図２】図１に示す移動装置付き家具の底部構造を示す中央横断面図である。
【図３】底面の枠体を突き出した状態の底部構造を示す中央横断面図である。
【図４】移動装置付き家具の底面図である。
【図５】図２におけるねじロッド部の要部拡大断面図である。
【図６】図３におけるねじロッド部の要部拡大断面図である。
【図７】家具底部の要部拡大斜視図である。
【図８】家具のキャスターが床面に接触した状態を示す正面図である。
【図９】家具底部の枠体が床面に接触した状態を示す正面図である。
【図１０】移動装置付き家具の他の構成例の要部側断面図である。
【符号の説明】
【００３４】
１      底面を構成する底板
２      キャスター
３      取付ブロック
４      中心線
５      棒体
６      第１の回動アーム
７      ねじロッド
８      軸受け
９      ねじ駒
１０      等長リンク
１１      副棒体
１２      第２の回動アーム
１３      底面板
１５      枠体
１６      幅方向の支持体
Ｌ      棒体の底面からの最大高さ距離
Ｓ      棒体の底面からの最小高さ距離
Ｈ      キャスターの高さ
【図１】
2005046334.tif 000003
【図２】
2005046334.tif 000004
【図３】
2005046334.tif 000005
【図４】
2005046334.tif 000006
【図５】
2005046334.tif 000007
【図６】
2005046334.tif 000008
【図７】
2005046334.tif 000009
【図８】
2005046334.tif 000010
【図９】
2005046334.tif 000011
【図１０】
2005046334.tif 000012